(57)【要約】【課題】住宅に使用される洗濯物を室内で乾燥させる装置において、複数の洗濯物を同時に乾燥させる場合に要する時間の短縮化を図る洗濯物の乾燥方法と洗濯物の乾燥システムを提供することを目的とする。【解決手段】室内へ空気を吹き出す送風手段としての加熱送風ユニット３と洗濯物１４を吊り干すための物干し竿１５とを備え、物干し竿１５にはハンガー１６を介して洗濯物１４が吊り干されており、ハンガー１６は鉛直軸を中心に回転しないことにより、洗濯物１４が加熱送風ユニット３の風で煽られることにより生じる洗濯物１４の揺れ動きに対して、ハンガーを回転しないようにすることで隣接する洗濯物１４の間隔が確保されるので、隣接する洗濯物１４の間隔が常に確保され複数の洗濯物１４を同時に乾燥させる場合に要する時間の短縮化が図れる。【選択図】図２
2011218071.tif 000002
【特許請求の範囲】
【請求項１】
室内へ空気を吹き出す送風手段と洗濯物を吊り干すための物干し竿とを備え、前記物干し竿にはハンガーを介して洗濯物が吊り干されており、前記ハンガーは鉛直軸を中心に回転しないことを特徴とする洗濯乾燥システム。
【請求項２】
前記物干し竿の表面に、前記物干し竿の軸に対して垂直方向の溝を備えたことを特徴とする請求１記載の洗濯乾燥システム。
【請求項３】
前記溝を、前記物干し竿の表面に対して環状に備えたことを特徴とする請求項２記載の洗濯乾燥システム。
【請求項４】
前記溝の断面形状として、前記溝の側面に勾配を設けたことを特徴とする請求項２または３に記載の洗濯乾燥システム。
【請求項５】
前記溝は前記物干し竿の軸方向に複数備えられ、各々の溝の間隔を均等としたことを特徴とする請求項２から４のいずれかに記載の洗濯乾燥システム。
【請求項６】
物干し竿の表面を平滑にしたことを特徴とする、請求項１記載の洗濯乾燥システム。
【請求項７】
前記ハンガーと前記ハンガーに吊るされた洗濯物との自重により、前記ハンガーの鉤部が前記物干し竿に二点以上で接することを特徴とする請求項６記載の洗濯乾燥システム。
【請求項８】
前記ハンガーの鉤部と前記物干し竿との接点が、前記物干し竿の軸に対する垂直面内にあることを特徴とする請求項７記載の洗濯乾燥システム。
【請求項９】
前記ハンガーの鉤部と前記物干し竿との接点が、前記物干し竿の軸に対する平行線上にあることを特徴とする請求項７記載の洗濯乾燥システム。
【請求項１０】
前記物干し竿の表面に平面を備え、同平面が水平となるように前記物干し竿を配置したことを特徴とする請求項８記載の洗濯乾燥システム。
【請求項１１】
前記物干し竿を支持する為の受け具を備え、前記物干し竿の軸の回転方向における位置が既定されることを特徴とする請求項１０に記載の洗濯乾燥システム。
【請求項１２】
前記物干し竿の軸断面の外形が正円であり、前記ハンガーの鉤部の形状は、前記物干し竿の軸断面の外形のより大きな直径の円弧と前記物干し竿の軸断面の外形より小さな直径の円弧とから形成されており、両円弧がいずれも同一平面上に存在することを特徴とする請求項８記載の洗濯乾燥システム。
【請求項１３】
前記物干し竿の軸断面の外形が正円であり、前記ハンガーの鉤部の形状は長軸を鉛直方向に配した楕円の円弧に沿っており、前記楕円が前記物干し竿に二点で内接することを特徴とする請求項８記載の洗濯乾燥システム。
【請求項１４】
前記物干し竿の表面を軟質素材で覆ったことを特徴とする請求項８から１３のいずれか一項に記載の洗濯乾燥システム。
【請求項１５】
前記送風手段の吹出し方向と、前記物干し竿の軸方向とが概垂直となっていることを特徴とする請求項２から１４のいずれか一項に記載の洗濯乾燥システム。
【発明の詳細な説明】
【技術分野】
【０００１】
本発明は、住宅内で使用される洗濯物を乾燥させる装置に関するものである。
【背景技術】
【０００２】
近年、天候や屋外空気汚染や有職主婦の増加や防犯上の問題または生活スタイルの変化などに伴い、洗濯物を室内で乾燥させたいといった要望が多くなってきている。
【０００３】
従来、この種の洗濯物を室内で乾燥させる装置は、室内で洗濯物を乾燥させるために室内の天井に備えられたものが知られている（例えば、特許文献１参照）。
【０００４】
図５に示すように、浴室１０１に備えられた浴室換気乾燥機１０２は換気ファン１０３と循環ファン１０４と加熱手段としての熱交換器１０５と湿度検知手段が備えられ、循環ファン１０４で熱交換器１０５を通過した浴室空気を加熱し、室内の水蒸気を換気ファン１０３で排気することで、浴室に吊るされた洗濯物を乾燥させるものである。
【先行技術文献】
【特許文献】
【０００５】
【特許文献１】特開２００２−２２１３８８号公報
【発明の概要】
【発明が解決しようとする課題】
【０００６】
このような従来の洗濯物を室内で吊り干し乾燥させる装置においては、室内に吊り干された洗濯物に対し加熱空気を当て、加熱空気の強制対流を利用して洗濯物を加熱することにより洗濯物に含まれる水分の蒸発を促進し洗濯物を乾燥させることを目的としている。
【０００７】
洗濯物はハンガーを介して物干し竿に吊るされ、物干し竿上にあるハンガーとの接点で支持されているので、洗濯物に対する風圧力でハンガーは物干し竿上の接点を中心とした揺れ動きが発生する。そして、複数の洗濯物が物干し竿に吊り干される場合には、洗濯物に対する風圧力で各ハンガーの方向が無秩序に変化し、一本の物干し竿に対して隣接する洗濯物の傍部が接触することとなる。
【０００８】
従って、洗濯物同士の接触により隣接する洗濯物のすき間が塞がれることで風が流れ難くなり、洗濯物から水分が蒸発し難くなり、複数の洗濯物を同時に乾燥させる場合に時間を要するといった課題を有していた。
【０００９】
そこで本発明は、上記従来の課題を解決するものであり、複数の洗濯物を同時に乾燥させる場合に要する時間の短縮化を図る洗濯物の乾燥システムを提供することを目的とする。
【課題を解決するための手段】
【００１０】
そして、この目的を達成するために、本発明は、室内へ空気を吹き出す送風手段と洗濯物を吊り干すための物干し竿とを備え、物干し竿にはハンガーを介して洗濯物が吊り干されており、ハンガーは鉛直軸を中心とした回転しないように拘束されたものであり、これにより所期の目的を達成するものである。
【発明の効果】
【００１１】
本発明によれば、室内へ空気を吹き出す送風手段と洗濯物を吊り干すための物干し竿とを備え、物干し竿にはハンガーを介して洗濯物が吊り干されており、ハンガーは鉛直軸を中心に回転しないことにより、隣接する洗濯物の間隔が常に確保され複数の洗濯物を同時に乾燥させる場合に要する時間の短縮化が図れるといった効果を得ることができる。
【図面の簡単な説明】
【００１２】
【図１】本発明の実施の形態１における洗濯乾燥システムの全体構成を示す側面図
【図２】本発明の実施の形態１における物干し竿とハンガーの構成を示す側面図
【図３】本発明の実施の形態２における物干し竿とハンガーの構成を示す側面図
【図４】本発明の実施の形態２における物干し竿とハンガーの鉤部の詳細側面図
【図５】本発明の実施の形態３における物干し竿とハンガーの鉤部の詳細側面図
【図６】本発明の実施の形態４における物干し竿とハンガーの鉤部の詳細側面図
【図７】本発明の実施の形態４における物干し竿と受け具の構成図を示す斜視図
【図８】本発明の実施の形態５における物干し竿とハンガーの鉤部の詳細斜視図
【図９】従来の洗濯物を室内で乾燥させる装置の断面を示す構成図
【発明を実施するための形態】
【００１３】
本発明の請求項１記載の洗濯乾燥システムは、室内へ空気を吹き出す送風手段と洗濯物を吊り干すための物干し竿とを備え、物干し竿にはハンガーを介して洗濯物が吊り干されており、ハンガーは鉛直軸を中心に回転しないといった構成を有する。
【００１４】
これにより、洗濯物が送風手段の風で煽られることにより生じる洗濯物の揺れ動きに対して、ハンガーを回転しないようにすることで隣接する洗濯物の間隔が確保されるので、隣接する洗濯物の間隔が常に確保され複数の洗濯物を同時に乾燥させる場合に要する時間の短縮化が図れる。
【００１５】
また、物干し竿の表面に、物干し竿の軸に対して垂直方向の溝を備えてもよい。これにより、物干し竿の溝によりハンガーの鉤部を拘束することとなり、確実にハンガーを拘束することができる。
【００１６】
また、溝を、物干し竿の表面に対して環状に備えた構成にしてもよい。これにより、物干し竿の軸を中心とした対称形状となるので、物干し竿の軸中心に対する方向性を考慮することなく物干し竿を設置することで、使用者の心理的負担を軽減することができる。
【００１７】
また、溝の断面形状として、溝の側面に勾配を設けた構成にしてもよい。これにより、ハンガーの鉤部の厚さに関わらず溝の両側面と接することとなり、鉤部の厚さが異なるハンガーを使用した場合であっても確実にハンガーを拘束することができる。
【００１８】
また、溝は物干し竿の軸方向に複数備えられ、各々の溝の間隔を均等とした構成にしてもよい。これにより、ハンガーが吊られる位置が既定されるので、隣接する洗濯物において確実に相互間隔の確保ができる。
【００１９】
また、物干し竿の表面を平滑に構成してもよい。これにより、物干し竿の表面形状が凹凸でないので、物干し竿が汚れ難くなるという効果を奏する。
【００２０】
また、ハンガーとハンガーに吊るされた洗濯物との自重により、ハンガーの鉤部が物干し竿に二点以上で接する構成にしてもよい。これにより、ハンガーとハンガーに吊るされた洗濯物との自重が複数の支点に分散するので、物干し竿の表面が平らであっても、確実にハンガーの回転を拘束することができる。
【００２１】
また、ハンガーの鉤部と物干し竿との接点が、物干し竿の軸に対する垂直面内にあるという構成にしてもよい。これにより、ハンガー鉤部分を薄くできるので、ハンガーを使用しない場合のハンガーの収納性が向上するという効果を奏する。
【００２２】
また、ハンガーの鉤部と物干し竿との接点が、物干し竿の軸に対する平行線上にあるという構成にしてもよい。これにより、送風手段の風で洗濯物が煽られることで生じるハンガーの物干し竿の軸方向に対する揺動が小さくなり隣接する洗濯物同士が接触し難くなるので、更に洗濯物の乾燥が促進することができる。
【００２３】
また、物干し竿の表面に平面を備え、同平面が水平となるように物干し竿を配置してもよい。これにより、物干し竿の周に対する平面部分の両縁がハンガーを支持する接点となるので、ハンガーの鉤部の大きさに関わらず、ハンガーの回転動作が確実に拘束することができる。
【００２４】
また、物干し竿を支持する為の受け具を備え、物干し竿の軸の回転方向における位置が既定される構成にしてもよい。これにより、物干し竿を配置する時点で物干し竿の配置方向が自ずと認識されるので、物干し竿の間違った支持をすることがなくなるという効果を奏する。
【００２５】
また、物干し竿の軸断面形状が正円であり、ハンガーの鉤部の形状は、物干し竿の軸断面の外形より大きな直径の円弧と物干し竿の軸断面の外形より小さな直径の円弧とから形成されており、両円弧がいずれも同一平面上に存在する構成にしてもよい。これにより、物干し竿の軸断面の外形が正円の物干し竿を用いることとなり、従来の一般的な物干し竿を転用することでコストを低減することができる。
【００２６】
また、物干し竿の軸断面形状が正円であり、ハンガーの鉤部の形状は長軸を鉛直方向に配した楕円の円弧に沿っており、この楕円が物干し竿に二点で内接してもよい。これにより、ハンガーの鉤部が単純な形状となるので、ハンガーの製造コストを削減することができる。
【００２７】
また、物干し竿の表面を軟質素材で覆った構成にしてもよい。これにより、物干し竿にハンガーを吊るした部分で物干し竿表面が凹むので、さらにハンガーの回転を拘束することができる。
【００２８】
また、送風手段の吹出し方向と、物干し竿の軸方向とが概垂直となる構成にしてもよい。これにより、ハンガーが物干し竿に対して垂直に拘束され、ハンガーが隣り合う洗濯物で形成される空間の方向性が物干し竿の軸方向に概垂直となることから、物干し竿の軸方向に対して概垂直に吹き出される風が隣接する洗濯物で形成される空間を流れ易くなるので、洗濯物に気流が満遍なく当たり、洗濯物の乾燥がさらに促進されることとなる。
【００２９】
以下、本発明の実施の形態について図面を参照しながら説明する。
【００３０】
（実施の形態１）
図１は、本発明の実施の形態１における洗濯乾燥システムの全体構成を示す側面図である。図１に示すように、室内としての浴室空間１の天井２には、浴室空間１の空気を加熱送風する送風手段としての加熱送風ユニット３が備えられている。加熱送風ユニット３は、吸込口４と加熱手段としての電気ヒーター５と送風手段としてのクロスフローファン６と吹出口７とが連通する構成となっており、吸込口４から浴室空間１の空気８を吸込み、電気ヒーター５で加熱され、クロスフローファン６で加圧送風され、吹出口７から浴室空間１へ吹出気流９が吹出されている。
【００３１】
また、吸込口４は換気手段としての排気ファン１０を用いダクト１１を介して屋外へ連通されており、吸込口４で吸込まれた浴室空気の一部は屋外へ排出空気１２として排出される構成となっている。吸込口４には浴室空間１から空気と共に流入する埃を除去するためのフィルター１３が備えられている。
【００３２】
また、浴室空間１には洗濯物１４を吊り干すための物干し竿１５が備えられており、洗濯物１４を吊り干す作業者は、ハンガー１６に掛けられた洗濯物１４を物干し竿１５へ吊り干す作業をおこなう。ハンガー１６には、物干し竿１５に引っ掛けるための円形かつ鉤形状の鉤部１７を有している。
【００３３】
物干し竿１５に洗濯物１４が吊り干された後に加熱送風ユニット３の運転を開始し、洗濯物１４に対して加熱された空気を当てることにより洗濯物１４の乾燥が促進されることとなる。
【００３４】
続いて、物干し竿１５の構成についての詳細な説明をおこなう。
【００３５】
図２は、本発明の実施の形態１における物干し竿とハンガーの構成を示す側面図である。図２に示すように、物干し竿１５は壁面１８に取り付けられた受け具１９で固定できるようになっており、使用者が物干し竿１５を任意に取り外すことが可能な構成となっている。物干し竿１５の表面には物干し竿１５の軸に対して垂直方向に連続した窪みを有する溝２０が、物干し竿１５の円周方向に沿って環状に備えられている。溝２０の物干し竿１５の軸断面における形状はくさび形に窪んだ形状となっており、溝２０の側面が物干し竿１５の軸の垂直面に対し勾配を有している。
【００３６】
また、溝２０は物干し竿１５の軸方向に複数備えられ、各々の溝２０の間隔は均等となっている。
【００３７】
洗濯物１４を吊り干す作業者は、ハンガー１６に掛けられた洗濯物１４を物干し竿１５に吊り干す作業において、物干し竿１５の溝２０に沿ってハンガー１６の鉤部１７を引っ掛けて洗濯物１４を吊り干すこととなる。
【００３８】
従って、加熱送風ユニット３の運転を開始しクロスフローファン６の送風で洗濯物１４が煽られても、ハンガー１６の鉤部１７が物干し竿１５の溝２０によって水平方向の動作が拘束されているので、ハンガー１６が水平方向に対して揺れ動くことなく鉛直軸を中心とした回転が拘束されることとなる。
【００３９】
このような構成によれば、洗濯物１４が送風手段としての加熱送風ユニット３の風で煽られることにより生じる風圧力により、ハンガー１６が鉛直軸を中心に回転しないような構成とすることとなり、ハンガー１６が回転しなくなることで相互に隣接する洗濯物１４の間隔が確保されるので、相互に隣接する洗濯物１４の間隔が常に確保され複数の洗濯物１４を同時に乾燥させる場合に要する時間の短縮化を図ることができる。
【００４０】
また、物干し竿１５に溝２０を備えたことにより、物干し竿１５の溝２０にハンガー１６の鉤部１７が落ち込むこととなり、確実にハンガー１６を物干し竿１５に拘束することができる。
【００４１】
また、物干し竿１５の溝２０を環状としたことにより、溝２０が物干し竿１５の軸中心に対称な回転体形状となり、物干し竿１５の軸中心に対する方向性を考慮することなく物干し竿１５を設置することができ、物干し竿１５を受け具１９へ設置する場合において使用者の心理的負担を軽減することができる。
【００４２】
また、物干し竿１５の溝２０の側面に勾配を設けたことにより、ハンガー１６の鉤部１７の厚さに関わらず、ハンガー１６の鉤部１７が溝２０の両側面と接することとなり、鉤部１７の厚さが異なるハンガー１６を使用した場合であっても確実にハンガー１６を拘束することができる。
【００４３】
また、物干し竿１５に複数の溝２０を均等間隔に備えたことにより、ハンガー１６が吊られる位置が既定されるので、隣接する洗濯物において確実に相互間隔の確保ができる。
【００４４】
なお、実施の形態１では、室内空間に空気を加熱送風する送風手段として加熱送風ユニット３を用いたが、加熱送風ユニット３にかえて除湿送風ユニットなど室内空間に送風を行なえるユニットを用いてもよく、その作用効果に差異を生じない。
【００４５】
また、実施の形態１では、送風手段にクロスフローファン６を用いたが、クロスフローファン６にかえてシロッコファンを用いてもよく、その作用効果に差異を生じない。
【００４６】
（実施の形態２）
図３において、図２と同様の構成要素については同一の符号を付し、その詳細な説明は省略する。
【００４７】
図３は、本発明の実施の形態２における物干し竿とハンガーの構成を示す側面図である。図３において、物干し竿１５の表面は凸凹がなく平滑であり、例えば塩化ビニルシートが圧着されている。そして物干し竿１５にはハンガー１６を介して洗濯物１４が乾燥を目的に吊り干されており、ハンガー１６とハンガー１６に吊るされた洗濯物１４との荷重が、ハンガー１６の鉤部１７を介して物干し竿１５に加わることとなる。
【００４８】
図４は、本発明の実施の形態２における物干し竿とハンガーの鉤部の詳細側面図である。図４において、物干し竿１５の軸垂直の断面形状は正円である。また、物干し竿１５に掛けられているハンガー１６は、ハンガー１６の鉤部１７の形状としては、物干し竿１５の軸断面の外形より大きな直径の円弧Ａと物干し竿１５の軸断面の外形より小さな直径の円弧Ｂとの組み合わせで形成されている。そして、円弧Ａと円弧Ｂとの双方は任意の同一平面上に存在し、かつ、円弧Ａと円弧Ｂとの交点としてはＤ１、Ｄ２が二点存在している。
【００４９】
物干し竿１５にハンガー１６を引っ掛けた場合には、ハンガー１６とハンガー１６に吊るされた洗濯物１４に加わる重力により鉛直軸線Ｃ−Ｃ´に沿った鉛直下方へ牽引される。そして、ハンガー１６は鉛直軸線Ｃ−Ｃ´を中心とした微小な回転動作を伴いながら鉤部１７が物干し竿１５の円弧上を下方へ滑り、物干し竿１５の軸に対する同一の垂直面上に接点Ｄ１、Ｄ２が位置することとなる。
【００５０】
すなわち、接点Ｄ１、Ｄ２は、物干し竿１５の軸に対する同一の垂直面内に存在しているので、少なくともハンガー１６は交点Ｄ１、Ｄ２を含む形状とすれば良い。従って、ハンガー１６は、物干し竿１５の軸方向の奥行き厚さを自由に決定することが可能となる。
【００５１】
ここで、ハンガー１６の鉤部１７の形状とは、鉤部１７における物干し竿１５の表面に相対するフックの曲線形状であり、物干し竿１５の軸方向からの見付を指している。
【００５２】
このような構成によれば、物干し竿１５の表面を平滑とすることにより、物干し竿１５の表面に塵埃が付着しにくくなり、物干し竿１５を汚れ難くすることができる。
【００５３】
また、ハンガー１６とハンガー１６に吊るされた洗濯物１４との自重によりハンガー１６の鉤部１７が物干し竿１５に二点以上で接する構成とすることにより、ハンガー１６とハンガー１６に吊るされた洗濯物１４の荷重が複数の支点に分散することとなり、物干し竿１５の表面が平らであっても確実にハンガー１６の回転を拘束することができる。
【００５４】
また、ハンガー１６の鉤部１７と物干し竿１５との接点が物干し竿１５の軸に対する垂直面内にあるという構成とすることにより、ハンガー１６の鉤部１７の肉厚を薄くすることができ、ハンガー１６を使用しない場合のハンガーの収納性を向上することができる。
【００５５】
また、物干し竿１５の軸断面形状が正円であり、ハンガー１６の鉤部の形状は、物干し竿１５の軸断面の外形より大きな直径の円弧と、物干し竿１５の軸断面の外形より小さな直径の円弧とから形成されており、両円弧がいずれも同一平面上に存在する構成とすることにより、物干し竿１５の軸断面の外形が正円の物干し竿１５を用いることとなり、従来の一般的な物干し竿を転用することでコストを低減することができる。
【００５６】
（実施の形態３）
図５において、図４と同様の構成要素については同一の符号を付し、その詳細な説明は省略する。
【００５７】
図５は、本発明の実施の形態３における物干し竿とハンガーの鉤部の詳細側面図である。図５において、物干し竿１５の軸垂直の断面形状は正円である。また、物干し竿１５に掛けられているハンガー１６の鉤部１７の形状としては、長軸を鉛直方向に配した楕円の円弧Ｅに沿った形で形成されている。その楕円の円弧Ｅは物干し竿１５の軸垂直における円周に対して接点Ｇ１、Ｇ２の二点で内接するように、ハンガー１６の鉤部１７の形状が決定されている。
【００５８】
従って、ハンガー１６の鉤部１７を断面形状が正円である物干し竿１５に引っ掛けることにより、ハンガー１６の鉤部１７が物干し竿１５に対して少なくとも接点Ｇ１、Ｇ２の二点で支持されることとなり、ハンガー１６が鉛直軸を中心とした回転が拘束されることとなる。
【００５９】
そして、加熱送風ユニット３の運転を開始しクロスフローファン６の送風で洗濯物１４が煽られても、ハンガー１６の鉤部１７が物干し竿１５の溝２０によって水平方向の動作が拘束されているので、ハンガー１６が水平方向に対して揺れ動くことなく鉛直軸を中心とした回転が拘束されることとなる。
【００６０】
このような構成によれば、ハンガーの鉤部が楕円形状といったように単純な形状となるので、ハンガーの製造コストを削減することができる。
【００６１】
（実施の形態４）
図６において、図４および図５と同様の構成要素については同一の符号を付し、その詳細な説明は省略する。
【００６２】
図６は、本発明の実施の形態４における物干し竿とハンガーの鉤部の詳細側面図である。図６において、物干し竿１５は物干し竿１５の円周表面に対して一部分に平面部２２を備えたものとなっており、平面部２２は物干し竿１５の軸に平行な平面となっている。そして、物干し竿１５は平面部２２が水平となるように配置されている。
【００６３】
図７は、本発明の実施の形態４における物干し竿と受け具の構成図を示す斜視図である。図７において、物干し竿１５を支持する為の受け具１９が室内の壁面１８に備えられている。また、物干し竿１５の軸の回転方向における位置が既定されるように、物干し竿１５には凹部２３が、受け具１９には凸部２４が備えられている。物干し竿１５の凹部２３は物干し竿の両端部に備えられており、その寸法は受け具１９の凸部２４に嵌合するようになっている。
【００６４】
上記構成において、物干し竿１５の周に対する平面部２２の両縁がハンガー１６の鉤部１７を支持する接点となるので、ハンガー１６の鉤部１７の大きさに関わらず、ハンガー１６の回転動作を確実に拘束することができる。
【００６５】
また、物干し竿１５竿を受け具１９に配置する時点において、受け具１９と物干し竿１５との凹凸部により物干し竿１５の配置方向が自ずと認識されるので、物干し竿１５の平面部２２を間違った方向に配置することがなくなる。
【００６６】
（実施の形態５）
図８において、図４および図５および図６と同様の構成要素については同一の符号を付し、その詳細な説明は省略する。
【００６７】
図８は、本発明の実施の形態５における物干し竿とハンガーの鉤部の詳細斜視図である。図８は本発明の実施の形態５における物干し竿とハンガー鉤部の構成図を示し、図８において、物干し竿１５の軸垂直の断面形状は正円である。また、物干し竿１５に掛けられているハンガー１６の鉤部１７が、物干し竿１５の軸方向に対する奥行厚Ｈを有している。従って、ハンガー１６の鉤部１７と物干し竿１５との接点が、物干し竿１５の軸に対する平行線上にあるという構成となる。
【００６８】
なお、奥行厚Ｈの寸法の一例としては２から３ｃｍ程度である。
【００６９】
上記構成において、送風手段としての加熱送風ユニット３の風で洗濯物１４が煽られることにより生じるハンガー１６の物干し竿１５の軸方向に対する揺動が小さくなり、隣接する洗濯物同士が接触し難くなるので、更に洗濯物の乾燥が促進することができる。
【産業上の利用可能性】
【００７０】
本発明にかかる洗濯物の乾燥方法と洗濯物の乾燥システムは、洗濯物全体を平均的に乾燥できることや、使用者の作業性が向上することを可能とするものであるので、住宅の浴室や洗面室などに使用される洗濯の乾燥システム等として有用である。
【符号の説明】
【００７１】
３    加熱送風ユニット
１４  洗濯物
１５  物干し竿
１６  ハンガー
１７  鉤部
２０  溝
【図１】
2011218071.tif 000003
【図２】
2011218071.tif 000004
【図３】
2011218071.tif 000005
【図４】
2011218071.tif 000006
【図５】
2011218071.tif 000007
【図６】
2011218071.tif 000008
【図７】
2011218071.tif 000009
【図８】
2011218071.tif 000010
【図９】
2011218071.tif 000011